(57)【特許請求の範囲】
【請求項１】
液晶を封入するように張り合わせた二枚の透明基板のうち一方の透明基板に他方の透明基板からのはみ出し部を一体的に設けて成る液晶表示素子と，前記はみ出し部の表面に固着される一端部及び外部に接続される他端部を備えた接続用フレキシブルケーブルとから成る液晶表示装置において，
前記接続用フレキシブルケーブルにおける前記一端部は，当該接続用フレキシブルケーブルを前記はみ出し部における周側面を越えない内向きの方向に延びるように配設した状態のもとで前記はみ出し部に固着され，更に，前記接続用フレキシブルケーブルは，当該接続用フレキシブルケーブルにおける前記他端部が前記はみ出し部における周側面を越えて外側に位置するように，当該接続用フレキシブルケーブルのうち前記一端部に隣接する部分において折り返し状に折り曲げられていることを特徴とする液晶表示装置の構造。
【発明の詳細な説明】
【０００１】
【発明の属する技術分野】
本発明は，二枚の透明板をその間に液晶を封入して張り合わせて成る液晶表示素子に，外部への接続用フレキシブルケーブルの一端部を固着して成る形式の液晶表示装置に関するものである。
【０００２】
【従来の技術】
一般に，この種の液晶表示装置は，図６及び図７に示すように，ガラス等による二枚の透明基板１ａ，１ｂをその間に液晶を封入して張り合わせて液晶表示素子１を構成するにおいて，前記一方の透明基板１ａに，他方の透明基板１ｂからのはみ出し部１ａ′を一体的に設けて，このはみ出し部１ａ′の表面に，両透明基板１ａ，１ｂにおける各透明電極に対するＩＣチップ２を搭載すると共に，このＩＣチップ２への入力配線パターン（図示せず）を形成し，更に，前記はみ出し部１ａ′の表面に，外部への接続用フレキシブルケーブル３の一端部３ａを，当該接続用フレキシブルケーブル３を前記はみ出し部１ａ′における周側面１ａ″を越えて外向きに延びるように配設した状態のとで，異方性導電接着剤又は熱圧着等にて，前記ＩＣチップ２への各入力配線パターンが接続用フレキシブルケーブル３における配線に対して電気的に接続するように固着し，前記接続用フレキシブルケーブル３のうち前記はみ出し部１ａ′における周側面１ａ″を越えて外側に位置する他端部１ｂを外部に接続すると言う構成にしている。
【０００３】
【発明が解決しようとする課題】
しかし，従来における液晶表示装置は，外部への接続用フレキシブルケーブル３を，液晶表示素子１に対して，当該フレキシブルケーブル３における一端部３ａを液晶表示素子１におけるはみ出し部１ａ′の表面に位置し，当該フレキシブルケーブル３が液晶表示素子１におけるはみ出し部１ａ′の周側面１ａ″を越えてこれよりも外側に向かって一直線状に延びるように配設して，その一端部３ａをはみ出し部１ａ′に対して異方性導電接着剤又は熱圧着等にて固着すると言う構成にしているから，以下に述べるような問題があった。
【０００４】
すなわち，液晶表示素子１におけるはみ出し部１ａ′に一端部３ａを固着したフレキシブルケーブル３を，当該フレキシブルケーブル３が液晶表示素子１におけるはみ出し部１ａ′の周側面１ａ″を越えてこれよりも外側に向かって一直線状に延びるように配設すると言う構成にした場合には，前記フレキシブルケーブル３のうち液晶表示素子１におけるはみ出し部１ａ′の周側面１ａ″から外側に突出した部分がぶらぶらであることにより，当該フレキシブルケーブル３のうちはみ出し部１ａ′に対して固着した一端部３ａに隣接する部分が，前記はみ出し部１ａ′の周側面１ａ″における角部に対して頻繁に接触するばかりか，液晶表示装置を各種の電気機器等に取付ける作業などの取扱い中において前記周側面１ａ″における角部に対して押し付けられることになる。
【０００５】
ところが，前記はみ出し部１ａ′における周側面１ａ″の角部は，透明基板１ａが主としてガラス板製であることにより，鋭い刃物状になっているから，前記フレキシブルケーブル３のこの周側面１ａ″の角部への接触又は押圧により，フレキシブルケーブル３における配線に断線が発生したり，フレキシブルケーブル３自体が千切れたりするのであった。
【０００６】
本発明は，この問題を解消した液晶表示装置の構造を提供することを技術的課題とするものである。
【０００７】
【課題を解決するための手段】
この技術的課題を達成するため本発明は，
「液晶を封入するように張り合わせた二枚の透明基板のうち一方の透明基板に他方の透明基板からのはみ出し部を一体的に設けて成る液晶表示素子と，前記はみ出し部の表面に固着される一端部及び外部に接続される他端部を備えた接続用フレキシブルケーブルとから成る液晶表示装置において，
前記接続用フレキシブルケーブルにおける前記一端部は，当該接続用フレキシブルケーブルを前記はみ出し部における周側面を越えない内向きの方向に延びるように配設した状態のもとで前記はみ出し部に固着され，更に，前記接続用フレキシブルケーブルは，当該接続用フレキシブルケーブルにおける前記他端部が前記はみ出し部における周側面を越えて外側に位置するように，当該接続用フレキシブルケーブルのうち前記一端部に隣接する部分において折り返し状に折り曲げられている。」
ことを特徴としている。
【０００８】
【発明の作用・効果】
一端部を液晶表示素子におけるはみ出し部に対して固着した接続用フレキシブルケーブルにおける一端部は，前記はみ出し部における周側面を越えない内向きの方向に延びるように配設した状態のもとで前記はみ出し部に固着され，更に，前記接続用フレキシブルケーブルは，当該接続用フレキシブルケーブルにおける前記他端部が前記はみ出し部における周側面を越えて外側に位置するように，当該接続用フレキシブルケーブルのうち前記一端部に隣接する部分において折り返し状に折り曲げられていることにより，前記接続用フレキシブルケーブルがぶらぶらしても，当該接続用フレキシブルケーブルのうちはみ出し部に対して固着した一端部に隣接する部分が，はみ出し部の周側面において鋭い刃物状を呈している角部に接触することを確実に回避できると共に，液晶表示装置を各種の電気機器等に取付ける作業などの取扱い中において前記角部に対して押し付けられることをも確実に回避できるのである。
【０００９】
従って，本発明によると，液晶表示素子に対して外部への接続用フレキシブルケーブルの一端部を固着して成る形式の液晶表示装置において，前記接続用フレキシブルケーブルに，配線に断線が発生したり，接続用フレキシブルケーブル自体が千切れたりすることを確実に低減できる効果を有する。
【００１０】
【発明の実施の形態】
以下，本発明の実施の形態を，図１〜図５の図面について説明する。
【００１１】
図１及び図２は，第１の実施形態を示す。
【００１２】
この図１及び図２において，符号１１は，ガラス等による二枚の透明基板１１ａ，１１ｂをその間に液晶を封入して張り合わせてなる液晶表示素子を示し，この液晶表示素子１１における両透明基板１１ａ，１１ｂのうち一方の透明基板１１ａには，他方の透明基板１１ｂからのはみ出し部１１ａ′が一体的に設けられ，このはみ出し部１１ａ′の表面には，両透明基板１１ａ，１１ｂにおける各透明電極（図示せず）に対するＩＣチップ１２を搭載すると共に，このＩＣチップ１２への入力配線パターン（図示せず）が形成されている。
【００１３】
符号１３は，前記液晶表示素子１を外部に対して接続するためのフレキシブルケーブルを示し，この接続用フレキシブルケーブル１３を，前記液晶表示素子１１に対して，当該当該フレキシブルケーブル１３のうち一端部１３ａが液晶表示素子１１におけるはみ出し部１１ａ′の上面に位置し，他の部分が他方の透明基板１ｂに向かって内向きの方向に延びるように配設したのち，この接続用フレキシブルケーブル１３における前記一端部１３ａを，前記はみ出し部１１ａ′の表面に，異方性導電接着剤又は熱圧着等にて，前記ＩＣチップ１２への各入力配線パターンが前記接続用フレキシブルケーブル１３における各配線の各々に対して電気的に接続するように固着し，更に，この接続用フレキシブルケーブル１３を，図２に二点鎖線で示すように，当該接続用フレキシブルケーブル１３における他端部１３ｂが前記はみ出し部１１ａ′における周側面１１ａ″を越えて外側に位置するように，当該接続用フレキシブルケーブル１３のうち前記一端部１３ａに隣接する部分において折り返し状に折り曲げて，その他端部１３ｂを，外部に対して接続するように構成する。
【００１４】
すなわち，前記接続用フレキシブルケーブル１３における前記一端部１３ａを，当該接続用フレキシブルケーブル１３を前記はみ出し部１１ａ′における周側面１１ａ″を越えない内向きの方向に延びるように配設した状態のもとで前記はみ出し部１１ａ′に固着し，次いで，前記接続用フレキシブルケーブル１３を，当該接続用フレキシブルケーブル１３における前記他端部１３ｂが前記はみ出し部１１ａ′における周側面１１ａ″を越えて外側に位置するように，当該接続用フレキシブルケーブル１３のうち前記一端部１３ａに隣接する部分において折り返し状に折り曲げるという構成にする。
【００１５】
このように構成すると，フレキシブルケーブル１３がぶらぶらしても，当該フレキシブ
ルケーブル１３のうちはみ出し部１１ａ′に対して固着した一端部１３ａに隣接する部分が，はみ出し部１１ａ′の周側面１１ａ″において鋭い刃物状を呈している角部に接触することを確実に回避できるのである。
【００１６】
また，図３は，第２の実施形態を示す。
【００１７】
この第２の実施形態は，前記接続用フレキシブルケーブル１３の全体を，液晶表示素子１１におけるはみ出し部１１ａ′の部分のみに配設した場合であり，この場合においても，もちろん，前記接続用フレキシブルケーブル１３における一端部１３ａを，当該接続用フレキシブルケーブル１３を前記はみ出し部１１ａ′における周側面１１ａ″を越えない内向きの方向に延びるように配設した状態のもとで前記はみ出し部１１ａ′に固着し，次いで，前記接続用フレキシブルケーブル１３を，当該接続用フレキシブルケーブル１３における前記他端部１３ｂが前記はみ出し部１１ａ′における周側面１１ａ″を越えて外側に位置するように，当該接続用フレキシブルケーブル１３のうち前記一端部１３ａに隣接する部分において折り返し状に折り曲げるという構成にすることにより，前記接続用フレキシブルケーブル１３のうちはみ出し部１１ａ′に対して固着した一端部１３ａに隣接する部分が，はみ出し部１１ａ′の周側面１１ａ″において鋭い刃物状を呈している角部に接触したり，押し付けられたりすることを確実に回避できるのである。
【００１８】
更にまた，図４及び図５は，第３の実施形態を示す。
【００１９】
この第３の実施形態は，液晶表示素子１１におけるはみ出し部１１ａ′に，ＩＣチップを搭載することなく，接続用フレキシブルケーブル１３′における一端部１３ａ′のみを広幅に構成して，この一端部１３ａ′を前記はみ出し部１１ａ′に対して，前記接続用フレキシブルケーブル１３′を前記はみ出し部１１ａ′における周側面１１ａ″を越えない内向きの方向に延びるように配設した状態のもとで，両透明基板１１ａ，１１ｂにおける各透明電極（図示せず）の各々がフレキシブルケーブル１３′における各配線の各々に対して電気的に接続するように固着し，このフレキシブルケーブル１３′の他端部１３ｂ′に，ＩＣチップ１２′を備えたＴＡＢモジュール１４を接続するという構成にした場合である。
【００２０】
この場合においても，もちろん，前記接続用フレキシブルケーブル１３′を，当該接続用フレキシブルケーブル１３′における前記他端部１３ｂ′が前記はみ出し部１１ａ′における周側面１１ａ″を越えて外側に位置するように，当該接続用フレキシブルケーブル１３′のうち前記一端部１３ａ′に隣接する部分において折り返し状に折り曲げることにより，前記接続用フレキシブルケーブル１３′のうちはみ出し部１１ａ′に対して固着した一端部１３ａ′に隣接する部分が，はみ出し部１１ａ′の周側面１１ａ″において鋭い刃物状を呈しているして角部に接触したり，押し付けられたりすることを確実に回避できるのである。
【図面の簡単な説明】
【図１】  本発明の第１の実施形態を示す斜視図である。
【図２】  図１の側面図である。
【図３】  本発明の第２の実施形態を示す斜視図である。
【図４】  本発明の第３の実施形態を示す斜視図である。
【図５】  図４の側面図である。
【図６】  従来の例を示す斜視図である。
【図７】  図６の側面図である。
【符号の説明】
１１                  液晶表示素子
１１ａ，１１ｂ        透明基板
１１ａ′              はみ出し部
１１ａ″              はみ出し部の周側面
１２                  ＩＣチップ
１３，１３′          フレキシブルケーブル
１３ａ                フレキシブルケーブルの一端部
【図１】
0003825169.tif 000002
【図２】
0003825169.tif 000003
【図３】
0003825169.tif 000004
【図４】
0003825169.tif 000005
【図５】
0003825169.tif 000006
【図６】
0003825169.tif 000007
【図７】
0003825169.tif 000008